(57)【特許請求の範囲】
【請求項１】
クランクケースの一側壁に結合した補助ケースに上方へ突出する支持片を一体に設け、該支持片のシリンダ側壁と対向する面に積層鉄心を重ね合せて取付ボルトにより締結し、クランク軸に支持した永久磁石の回転により積層鉄心の点火コイルに高電圧を発生させる積層鉄心の取付構造において、前記積層鉄心に１対の角孔を設ける一方、取付ボルトの基端部に前記角孔に係合する角軸部を設け、取付ボルトの先端側に形成したねじ軸を前記支持片の通孔へ挿通してナツトにより締結したことを特徴とする積層鉄心の取付構造。
【請求項２】
クランクケースの一側壁に結合した補助ケースに上方へ突出する支持片を一体に設け、該支持片のシリンダ側壁と対向する面に積層鉄心を重ね合せて取付ボルトにより締結し、クランク軸に支持した永久磁石の回転により積層鉄心の点火コイルに高電圧を発生させる積層鉄心の取付構造において、前記積層鉄心に１対の角孔を設け、該角孔の一端側に該角孔に係合する角軸部を有するナツトを嵌合し、支持片に挿通した取付ボルトの先端を前記ナツトの角軸部に形成したねじ孔へ螺合したことを特徴とする積層鉄心の取付構造。
【発明の詳細な説明】
【０００１】
【発明の属する技術分野】
本発明は内燃機関のフライホイールマグネト方式点火装置、特に点火装置の積層鉄心の取付構造に関するものである。
【０００２】
【従来の技術】
従来は内燃機関のシリンダの側壁に、クランク軸方向へ突出する２本のロツドをシリンダと一体に形成し、ロツドに加工したねじ孔へ、積層鉄心に挿通した取付ボルトを螺合して固定している。ねじ孔を有するロツドをシリンダと一体に設けることは、積層鉄心がシリンダの熱を受けやすく、点火コイルの絶縁性を劣化させる恐れがあるばかりでなく、形状の大なるシリンダのロツドにねじ孔を加工するのに手数がかかり、コストの削減が難しい。
【０００３】
【発明が解決しようとする課題】
本発明の課題は上述の問題に鑑み、クランクケースに結合される補助ケースと一体の支持片に取り付けるようにした、組付けが簡単でコストの節減に役立つ、積層鉄心の取付構造を提供することにある。
【０００４】
【課題を解決するための手段】
上記課題を解決するために、本発明の構成はクランクケースの一側壁に結合した補助ケースに上方へ突出する支持片を一体に設け、該支持片のシリンダ側壁と対向する面に積層鉄心を重ね合せて取付ボルトにより締結し、クランク軸に支持した永久磁石の回転により積層鉄心の点火コイルに高電圧を発生させる積層鉄心の取付構造において、前記積層鉄心に１対の角孔を設ける一方、取付ボルトの基端部に前記角孔に係合する角軸部を設け、取付ボルトの先端側に形成したねじ軸を前記支持片の通孔へ挿通してナツトにより締結したことを特徴とする。
【０００５】
【発明の実施の形態】
本発明では点火コイルを巻装される積層鉄心に角孔を設け、該角孔に取付ボルトの角軸部を嵌合し、取付ボルトのねじ部を支持片の通孔へ挿通してナツトにより締結する。本発明によれば取付ボルトに角軸部を加工するだけでよく、積層鉄心は予め山型に打ち抜くと同時に角孔を打ち抜くことにより、コストの増加を回避し、組付けを容易にできる。
【０００６】
【実施例】
機関２は冷却フイン４を一体に備えるシリンダ３と、シリンダ３の下端部に結合されるクランクケース５とを備えている。クランクケース５の一端側には遠心式クラツチ６を収容する補助ケース７が結合され、補助ケース７と一体に上方へ突出する支持片７ａが形成される。クランク軸の右端部は遠心クラツチ６を介して、補助ケース７に支持した出力軸８ａに回転を伝達するようになつている。点火装置１１は山型の積層鉄心１２と点火コイル１３とからなり、積層鉄心１２を支持片７ａに重ね合せ、取付ボルト１４により締結される。
【０００７】
図２に示すように、点火コイル１３は１次コイル１３ａと２次コイル１３ｂとからなり、１次コイル１３ａの両端にはコンデンサ２３が接続される。２次コイル１３ｂは点火栓２４に接続される。クランク軸８の端部に結合される冷却フアンの一部分に永久磁石１０が結合され、永久磁石１０がクランク軸８とともに矢印ｘ方向へ回転する時、積層鉄心１２の点火コイル１３に磁界を及ぼし、１次コイル１３ａに発生する電流がコンデンサ２３へ充電される。永久磁石１０が積層鉄心１２から遠ざかる時、コンデンサ２３が放電し、２次コイル１３ｂに高電圧が発生し、点火栓２４に火花を発生させる。
【０００８】
図３に示すように、本発明によれば、積層鉄心１２の両端部に角孔１２ａが設けられ、取付ボルト１４の基端に形成した角軸部１４ａを角孔１２ａに係合し、取付ボルト１４の先端のねじ部１４ｂを支持片７ａの通孔９へ挿通し、ナツト１６を螺合して締結される。取付ボルト１４に角軸部１４ａが形成されるので、ナツト１６をねじ部１４ｂへ螺合するにあたり、取付ボルト１４が空回りすることなく取付けが容易になる。支持片７ａには普通の丸いねじ孔９を設けるだけで、ねじ溝を加工する必要がないから、経費の節減に役立つ。
【０００９】
図４に示す実施例では、シリンダ３の外側から取付ボルト６をねじ込むことができるようにするために、積層鉄心１２の角孔１２ａにフランジを有するナツト１７に角孔１２ａへ係合する角軸部１７ａを設け、角軸部１７ａに形成したねじ孔１７ｂへ、支持片７ａの通孔９へ挿通した取付ボルト１５を螺合して、積層鉄心１２を支持片７ａに固定するようにしたものである。この実施例では、普通の取付ボルト１５をシリンダ３と反対側からねじ込むことができるので作業が容易になる。
【００１０】
【発明の効果】
本発明は上述のように、クランクケースの一側壁に結合した補助ケースに上方へ突出する支持片を一体に設け、該支持片のシリンダ側壁と対向する面に積層鉄心を重ね合せて取付ボルトにより締結し、クランク軸に支持した永久磁石の回転により積層鉄心の点火コイルに高電圧を発生させる積層鉄心の取付構造において、前記積層鉄心に１対の角孔を設ける一方、取付ボルトの基端部に前記角孔に係合する角軸部を設け、取付ボルトの先端側に形成したねじ軸を前記支持片の通孔へ挿通してナツトにより締結したものであり、支持片の積層鉄心の取付部には丸孔を設けるだけでよく、加工が容易になる。
【００１１】
積層鉄心の取付後の微調整が可能になる。
【００１２】
積層鉄心に取付ボルトを係合することにより、シリンダ壁部に対するねじ孔の加工が不要になり、積層鉄心の取付けに自由度が広がり、コスト節減にもなる。
【図面の簡単な説明】
【図１】本発明に係る積層鉄心の取付構造の正面断面図である。
【図２】点火装置の原理的構成を示す回路図である。
【図３】積層鉄心の取付構造を分解して示す斜視図である。
【図４】本発明の一部変更実施例に係る積層鉄心の取付構造の正面断面図である。
【符号の説明】
ｘ：矢印  ２：機関  ３：シリンダ  ４：冷却フイン  ５：クランクケース  ６：遠心クラツチ  ７：補助ケース  ７ａ：支持片  ８：クランク軸  ８ａ：出力軸  ９：ボルト挿通孔  １０：永久磁石  １１：点火装置  １２：積層鉄心  １２ａ：角孔  １３：点火コイル  １３ａ：１次コイル  １３ｂ：２次コイル  １４：取付ボルト  １４ａ：角軸部  １４ｂ：ねじ部  １５：取付ボルト  １６：ナット  １７：ナット  １７ａ：角軸部  １７ｂ：ねじ孔  ２１：電源バツテリ
２２：スイツチ  ２３：コンデンサ  ２４：点火栓
【図１】
0003840344.tif 000002
【図２】
0003840344.tif 000003
【図３】
0003840344.tif 000004
【図４】
0003840344.tif 000005